(57)【特許請求の範囲】
【請求項１】
第１の周波数レイヤの第１のネットワークノードにおいて、第２の周波数レイヤにおいて第２のネットワークノードによって提供されるサービスに関する情報を取得するステップであって、前記第２のネットワークノードは、前記第１のネットワークノードのカバレッジエリア内にあり、前記第１のネットワークノードはマクロセルに相当し、前記第２のネットワークノードはスモールセルに相当する、ステップと、
前記第１のネットワークノードから、前記第２の周波数レイヤにおいて前記第２のネットワークノードによって提供される前記サービスをアドバタイズするために、サービスアドバタイズメントメッセージを少なくとも１つの端末デバイスにブロードキャストするステップとを備え、
前記第１のネットワークノードは、周波数レイヤの１つまたは複数のサービス識別子に固有のしきい値を備えたシステム情報ブロードキャスト要素を含むサービスアドバタイズメントメッセージを送信することで、前記第２のネットワークノードのスモールセルサービスをアドバタイズし、前記システム情報ブロードキャスト要素は、サービス識別子を、前記マクロセルのカバレッジエリア内の前記スモールセルの１つまたは複数の周波数レイヤにリンクする方法。
【請求項２】
前記第１のネットワークノードにおいて、
前記マクロセルのカバレッジエリア内のスモールセルに関する能力情報を取得するステップと、
前記サービスを受信するために果たされるべきサービス要件に関する情報を取得するステップと、
前記サービス要件を無線リンク品質パラメータに変換するステップと、
前記変換するステップに基づいて、必要とされるスループットレートが前記無線リンク品質パラメータで取得可能である場合、前記サービスをアドバタイズするステップとをさらに備える請求項１に記載の方法。
【請求項３】
第１の周波数レイヤの第１のネットワークノードから、周波数レイヤに対して１つまたは複数のサービス識別子に固有のしきい値を備えたスモールセルシステム情報ブロードキャスト要素と共に、第２の周波数レイヤにおいて第２のネットワークノードによって提供されるサービスをアドバタイズするサービスアドバタイズメントメッセージを受信するステップであって、前記第１のネットワークノードはマクロセルに相当し、前記第２のネットワークノードはスモールセルに相当し、システム情報ブロードキャスト要素は、サービス識別子を、前記マクロセルのカバレッジエリア内の前記スモールセルの１つ又は複数の周波数レイヤにリンクし、前記第２のネットワークノードは、前記第１のネットワークノードのカバレッジエリア内にあるステップと、
前記サービスアドバタイズメントメッセージに基づいて、前記第２の周波数レイヤにおいて前記第２のネットワークノードによって提供される少なくとも１つのサービスに接続する要求を、前記第２のネットワークノードに送信するステップとを備える方法。
【請求項４】
前記サービスアドバタイズメントメッセージは、前記第１のネットワークノードの無線アクセス技術とは異なる無線アクセス技術を指示する請求項３に記載の方法。
【請求項５】
前記サービスアドバタイズメントメッセージは、１つまたは複数のサービスに固有のしきい値に関する情報を備える請求項３に記載の方法。
【請求項６】
前記第１のネットワークノードは、マクロセルネットワークであり、
前記第２のネットワークノードは、スモールセルネットワークである請求項３に記載の方法。
【請求項７】
前記サービスアドバタイズメントメッセージは、システム情報ブロードキャストＳＩＢ要素で端末デバイスにブロードキャストされる請求項３に記載の方法。
【請求項８】
前記サービスアドバタイズメントメッセージは、周波数レイヤに固有であるか、または  前記サービスアドバタイズメントメッセージは、セル選択基準に固有である請求項３に記載の方法。
【請求項９】
周波数レイヤは１つまたは複数のサービスに固有である請求項３に記載の方法。
【請求項１０】
システム情報ブロードキャスト要素は、使用不可能なサービスのサービス識別子を指示する例外リストを備える請求項３に記載の方法。
【請求項１１】
少なくとも１つのプロセッサと、
コンピュータプログラムコードを含む少なくとも１つのメモリであって、前記少なくとも１つのメモリおよび前記コンピュータプログラムコードは、前記少なくとも１つのプロセッサと共に、装置に、
第１の周波数レイヤの第１のネットワークノードにおいて、第２の周波数レイヤにおいて第２のネットワークノードによって提供されるサービスに関する情報を取得させ、前記第２のネットワークノードは、前記第１のネットワークノードのカバレッジエリア内にあり、前記第１のネットワークノードはマクロセルに相当し、前記第２のネットワークノードはスモールセルに相当し、
前記第１のネットワークノードから、前記第２の周波数レイヤにおいて前記第２のネットワークノードによって提供される前記サービスをアドバタイズするために、サービスアドバタイズメントを少なくとも１つの端末デバイスにブロードキャストさせるように構成されるメモリとを備え、
前記装置に、周波数レイヤの１つまたは複数のサービス識別子に固有のしきい値を備えたシステム情報ブロードキャスト要素を含むサービスアドバタイズメントメッセージを送信することで、前記第２のネットワークノードのスモールセルサービスをアドバタイズさせるように構成され、前記システム情報ブロードキャスト要素は、サービス識別子を、前記マクロセルのカバレッジエリア内の前記スモールセルの１つまたは複数の周波数レイヤにリンクする装置。
【請求項１２】
周波数レイヤは１つまたは複数のサービスに固有である請求項１１に記載の装置。
【請求項１３】
前記システム情報ブロードキャスト要素は、使用不可能なサービスのサービス識別子を指示する例外リストを備える請求項１１に記載の装置。
【請求項１４】
請求項１に記載の方法のステップを実施するための手段を備える装置。
【請求項１５】
第１の周波数レイヤにおいて動作するように構成された装置であって、
別の周波数レイヤによって提供されるサービスに関する情報を取得するように構成されたサービス検出器であって、前記別の周波数レイヤは、前記第１の周波数レイヤのカバレッジエリア内にあるサービス検出器と、
前記別の周波数レイヤによって提供される前記サービスをアドバタイズするために、サービスアドバタイズメントを少なくとも１つの端末デバイスにブロードキャストするように構成されたメッセージ生成器とを備え、
前記装置に、周波数レイヤの１つまたは複数のサービス識別子に固有のしきい値を備えたシステム情報ブロードキャスト要素を含むサービスアドバタイズメントメッセージを送信することで、スモールセルサービスをアドバタイズさせるように構成され、
前記システム情報ブロードキャスト要素は、サービス識別子を、マクロセルのカバレッジエリア内のスモールセルの１つまたは複数の周波数レイヤにリンクする装置。
【請求項１６】
少なくとも１つのプロセッサと、
コンピュータプログラムコードを含む少なくとも１つのメモリであって、前記少なくとも１つのメモリおよび前記コンピュータプログラムコードは、前記少なくとも１つのプロセッサと共に、装置に、
第１の周波数レイヤの第１のネットワークノードから、周波数レイヤに対して１つまたは複数のサービス識別子に固有のしきい値を備えたスモールセルシステム情報ブロードキャスト要素と共に、第２の周波数レイヤにおいて第２のネットワークノードによって提供されるサービスをアドバタイズするサービスアドバタイズメントメッセージを受信させ、前記第１のネットワークノードはマクロセルに相当し、前記第２のネットワークノードはスモールセルに相当し、システム情報ブロードキャスト要素は、サービス識別子を、前記マクロセルのカバレッジエリア内の前記スモールセルの１つ又は複数の周波数レイヤにリンクし、前記第２のネットワークノードは、前記第１のネットワークノードのカバレッジエリア内にあり、
前記サービスアドバタイズメントメッセージに基づいて、前記第２の周波数レイヤにおいて前記第２のネットワークノードによって提供される少なくとも１つのサービスに接続する要求を、前記第２のネットワークノードに送信させるように構成されるメモリとを備える装置。
【請求項１７】
前記少なくとも１つのメモリおよび前記コンピュータプログラムコードは、前記少なくとも１つのプロセッサと共に、装置に、
スモールセルの周波数スキャンを実行させ、
測定しきい値が到達されるスモールセルに接続させるように構成される請求項１６に記載の装置。
【請求項１８】
少なくとも１つのサービスに接続するよう求める要求はモビリティ情報を備える請求項１６に記載の装置。
【請求項１９】
コンピュータ可読可能な非一時的記録媒体であって、装置にロードされるとき、請求項１に記載の方法を実行するプログラム命令を含むコンピュータ可読可能な非一時的記録媒体。
【請求項２０】
コンピュータ可読可能な非一時的記録媒体であって、コンピュータにロードされるとき、ネットワークノードに、
第１の周波数レイヤにおいて動作させ、
別の周波数レイヤによって提供されるサービスに関する情報を取得させ、前記別の周波数レイヤは、前記第１の周波数レイヤのカバレッジエリア内にあり、
前記別の周波数レイヤによって提供される前記サービスをアドバタイズするために、サービスアドバタイズメントメッセージを少なくとも１つの端末デバイスにブロードキャストさせることを備え、それによって、前記ネットワークノードに、周波数レイヤの１つまたは複数のサービス識別子に固有のしきい値を備えたシステム情報ブロードキャスト要素を含むサービスアドバタイズメントメッセージを送信することで、スモールセルサービスをアドバタイズさせるように構成され、前記システム情報ブロードキャスト要素は、サービス識別子を、マクロセルのカバレッジエリア内のスモールセルの１つまたは複数の周波数レイヤにリンクするコンピュータプロセスを実行するプログラム命令を含むコンピュータ可読可能な非一時的記録媒体。
【発明の詳細な説明】
【技術分野】
【０００１】
本発明は、通信に関する。
【背景技術】
【０００２】
５Ｇセルラーシステムにおいて、セルは、使用される無線アクセス技術（ＲＡＴ）、またはｃｍＷもしくはｍｍＷ帯域内で選択される周波数帯域に応じてマクロセルまたはスモールセルであってもよい。多くの５Ｇセルは、制限されたカバレッジを有するスモールセルである。スモールセルは、マクロセルを補足するために使用される。さらに、それらの制限されたカバレッジを所与として、大量の５Ｇスモールセルが１つのマクロセル内に存在し得ることが予想される。
【発明の概要】
【発明が解決しようとする課題】
【０００３】
多くのリダイレクトトラフィックは、マクロセルネットワークノードによって処理される。これは、ユーザが、マクロセルによって提供されないサービスにアクセスしようとしていることに起因する。
【課題を解決するための手段】
【０００４】
一態様により、独立クレームの主題が提供される。実施形態は、従属クレームにおいて定義される。
【０００５】
実施態様の１つまたは複数の例は、添付の図面および後段の説明においてさらに詳細に示される。その他の特徴は、説明および図面から、ならびに特許請求の範囲から明らかとなろう。
【０００６】
後段において、本発明は、添付の図面を参照して、好ましい実施形態を用いてさらに詳細に説明される。
【図面の簡単な説明】
【０００７】
【図１】本発明の実施形態が適用され得る無線通信システムを示す図である。
【図２】本発明の実施形態によるセル再選択の手順を示すシグナリング図である。
【図３】本発明の実施形態によるセル再選択の手順を示すシグナリング図である。
【図４】本発明の実施形態によるセル再選択の手順を示すシグナリング図である。
【図５】本発明の実施形態によるスモールセル−マクロセルのシナリオを示す図である。
【図６】本発明の実施形態によるセル再選択のプロセスを示す図である。
【図７】本発明の実施形態によるセル再選択のプロセスを示す図である。
【図８】本発明の実施形態によるセル再選択のプロセスを示す図である。
【図９】本発明の実施形態による装置を示すブロック図である。
【図１０】本発明の実施形態による装置を示すブロック図である。
【発明を実施するための形態】
【０００８】
以下の実施形態は、例示的なものである。明細書が複数の箇所で「ある（ａｎ）」、「ひとつの（ｏｎｅ）」、または「一部の（ｓｏｍｅ）」実施形態を参照することがあるが、これは必ずしも、そのような参照の各々が同一の実施形態に向けられること、または特徴が単一の実施形態にのみ適用されることを意味するものではない。さまざまな実施形態の単一の特徴はまた、その他の実施形態を提供するように組み合わされてもよい。さらに、「備える（ｃｏｍｐｒｉｓｉｎｇ）」および「含む（ｉｎｃｌｕｄｉｎｇ）」という語は、説明される実施形態を言及されている特徴のみから成ると限定するものではないと理解されるべきであり、そのような実施形態はまた、具体的に言及されていない特徴／構造も含み得ることを理解されたい。
【０００９】
図１は、本発明の実施形態が適用され得る無線通信のシナリオを示す。図１を参照すると、セルラー通信システムは、決定された地理的エリアに無線カバレッジを提供するように配置された基地局を備える無線アクセスネットワークを備えてもよい。基地局は、たとえば複数平方マイルにも及ぶ比較的大きい領域にわたる無線カバレッジを端末デバイス（ＵＥ）１０６に提供するように配置されたマクロセル基地局（ｅＮＢ）１０２を備えてもよい。容量の向上が必要とされる高い人口密度のホットスポットにおいて、スモールエリアセル基地局（ｅＮＢ）１００は、高いデータ転送速度のサービスを端末デバイス（ＵＥ）１０４に提供するように配備されてもよい。そのようなスモールエリアセル基地局は、マクロセル基地局、ピコセル基地局、またはフェムトセル基地局と称されてもよい。スモールエリアセル基地局は通常、マクロ基地局１０２よりも著しく小さいカバレッジエリアを有する。セルラー通信システムは、３ｒｄ  Ｇｅｎｅｒａｔｉｏｎ  Ｐａｒｔｎｅｒｓｈｉｐ  Ｐｒｏｊｅｃｔ（３ＧＰＰ）のＬｏｎｇ  Ｔｅｒｍ  Ｅｖｏｌｕｔｉｏｎ（ＬＴＥ）アドバンスト、またはその（５Ｇのような）進化型バージョンの仕様に従って動作することができる。
【００１０】
３ＧＰＰネットワークにおいて、マクロセルは、システムブロードキャスト情報（ＳＩＢ）を用いて、ユーザ端末が、隣接セル、および異なるＲＡＴに属するか異なるキャリアに存在する隣接セルも認識するようにさせる。５Ｇネットワークにおいて、特定の周波数レイヤは、特定のサービスに限り使用されることがある。５Ｇサービスは、本質的に動的である。動的サービスは、単一の無線ネットワークが複数のサービスプロバイダによって使用されることを規定し、各サービスプロバイダは各自のサービスを任意の時刻においてセットアップおよび／または中止することができる。ユーザ端末は、それを推測的に知ることはない。したがって、サービスを取得しようとするアイドル状態のＵＥは、毎回マクロセルにコンタクトをとり、次いでマクロセルはＵＥを適切な周波数レイヤに（またはそのレイヤに対してホストされるセルに直接）リダイレクトする。これは、ＳＩＢにおける隣接セルまたは隣接周波数アドバタイズメントが、レイヤ／セルを再キャンプ／再選択するＵＥを支援するよう意図されているからである。しかし、レイヤがサービスに固有である場合、ＵＥがその固有のサービスに関心がなければ、ＵＥはそこでキャンプしない／キャンプする必要がないはずである。接続されているユーザ端末を有していないレイヤは、電力を使用して無駄に干渉を作り出す。サービスベースのハンドオーバーは、（接続モードで）最善にサービスを提供するレイヤへのリダイレクト情報をＵＥに提供することを伴う。サービスベースのロードバランシングは、ＲＡＮ（無線アクセスネットワーク）において適用されてもよい。
【００１１】
セルは、そのサービスをアドバタイズすることができる。ＵＥにおける４Ｇおよび３Ｇのアイドルモードは、ＵＥがキャンプしているセルのブロードキャストシステム情報を読み取るＵＥによって管理される。ブロードキャストシステム情報は、異なる周波数レイヤに対してどの品質しきい値があるかを指示し、品質しきい値が満たされない場合に、ＵＥは周波数再選択（つまりセル再選択）を実行する。エアーインターフェイスにおいて、ＣＢＳ（セルブロードキャストサービス）システムは、ＵＥに、アイドルモードからウェイクアップさせて、共通トランスポートチャネルを読み込ませるＳＩＢを定義する。共通トランスポートチャネルは、新しい項目から天気予報または株式情報などにわたる、さまざまなタイプのＣＢＳメッセージの送信を可能にする。ＳＩＢ（たとえば、ＳＩＢ１５）は、ＭＢＭＳ（マルチメディアブロードキャストマルチキャストサービス）チャネルの可用性を指示することができる。
【００１２】
ＭＢＭＳサービスおよび対応するＭＢＭＳ  ＳＡＩを提供する追加の帯域がある場合に、これらを含む隣接の周波数のリスト（ＳｙｓｔｅｍＩｎｆｏｒｍａｔｉｏｎＢｌｏｃｋＴｙｐｅ１５フィールド記述：ｍｂｍｓ−ＳＡＩ−ＩｎｔｅｒＦｒｅｑＬｉｓｔ）が提供される。ＭＢＭＳ  ＳＩＢアドバタイズメントは、ブロードキャストがモバイルＴＶ、または無線、または他のタイプのブロードキャストのいずれであるかを指示することはない。ＭＢＭＳ  ＳＩＢアドバタイズメントは、ＭＢＭＳチャネル構成がどのようなものかを指示するが、ＭＢＭＳ  ＳＩＢアドバタイズメントは、ＭＢＭＳがＳＦＮ（単一周波数ネットワーク）であるので、サービスが別のＲＡＴで提供されることを予測しない。ＵＥが、ＭＢＭＳサービス継続性の能力があり、ＭＢＭＳサービスを受信しているかまたは受信することに関心があり、特定のＭＢＭＳサービスが提供される周波数にキャンプしている間に特定のＭＢＭＳサービスを受信することができるのみである場合、再選択されたセルがＳＩＢ１３をブロードキャストしている限り、およびサービス提供セルのＳＩＢ１５がその周波数について、サービスのＭＢＭＳユーザサービス記述（ＵＳＤ）に１つまたは複数のＭＢＭＳ  ＳＡＩが含まれると指示するか、またはＳＩＢ１５がサービス提供セルでブロードキャストされず、その周波数がサービスのＵＳＤに含まれる限り、ＵＥは、その周波数がＭＢＭＳセッション中の最高優先度の周波数であると見なすことができる。
【００１３】
ＵＥが特定のＭＢＭＳ  ＳＦＮにアクセスすることを決定すると、ＵＥは、どのＭＢＭＳサービスがそのＳＦＮに使用可能であるかについてＵＥに知らせるＳＦＮに固有のＭＣＣＨを読み取る。以下の事項はＭＣＣＨ構造に適用する。１つのＭＢＳＦＮエリアが１つのＭＣＣＨに関連付けられ、１つのＭＣＣＨが１つのＭＢＳＦＮエリアに対応する。ＭＣＣＨは、ＭＣＨで送信される。ＭＣＣＨは、進行中のセッションを有するＭＢＭＳサービスをリストする単一のＭＢＳＦＮエリア構成ＲＲＣメッセージ、およびオプションのＭＢＭＳカウント要求メッセージを含む。したがって、ＭＣＣＨは、特定のＳＦＮのサービスのアドバタイズを可能にするが、ＭＣＣＨは、異なる周波数上または異なるＲＡＴについて、サービスのアドバタイズを可能にはしない。
【００１４】
ＬＴＥ  ＤＣは、２つの隣接セルであるマスターｅＮＢ（マクロセルｅＮＢ、ＭｅＮＢ）およびスレーブｅＮＢ（スモールセルｅＮＢ、ＳｅＮＢ）が、１つのＵＥにサービスを提供するように構成されるシステムを定義する。ＭｅＮＢは、ＵＥが潜在的ＳｅＮＢの測定を実行するように構成する。ＬＴＥ  ＤＣにおいて、ロードシェアリングを実行するために、ＵＥには、ユニキャストシグナリングでＭｅＮＢによって専用の測定が提供される。ＭｅＮＢは、たとえＵＥがＳｅＮＢへの無線リンクを確立した後であっても、ＵＥとの接続を制御し続ける。ドライブテストを最小化するためのサービス関連の測定は、サービスに固有の測定を伴ってもよい。サービスに固有の測定は、サービス特性を示し、サービスの関数として、待ち時間またはパケット損失のような、ＫＰＩを測定することを含むことができる。サービスに固有の測定は、アクティブなテストトラフィックに組み込まれてもよい。
【００１５】
これ以降、セル再選択のための本発明の実施形態について図２を参照して説明させていただく。図２は、セルラー通信システムのネットワーク要素間でセルスモールセルサービスパラメータを通信するための方法を示すシグナリング図を示す。ネットワーク要素は、ネットワークノード、アクセスノード、基地局、端末デバイス、サーバコンピュータ、またはホストコンピュータであってもよい。たとえば、サーバコンピュータまたはホストコンピュータは、ホストコンピュータが端末デバイスと通信する仮想ネットワークを生成してもよい。一般に、仮想ネットワーキングは、ハードウェアおよびソフトウェアネットワークリソースとネットワーク機能を、単一のソフトウェアベースの管理エンティティである仮想ネットワークに結合するプロセスを伴うことができる。もう１つの実施形態において、ネットワークノードは、端末デバイスであってもよい。ネットワーク仮想化は、多くの場合リソース仮想化と結合された、プラットフォーム仮想化を伴うことができる。ネットワーク仮想化は、多数のネットワーク、またはネットワークの一部をサーバコンピュータまたはホストコンピュータに一体化する外部仮想ネットワーキングにカテゴリ化されてもよい。外部ネットワーク仮想化は、最適化ネットワーク共有を対象としている。もう１つのカテゴリは、ネットワークと同様の機能を単一システム上のソフトウェアコンテナに提供する内部仮想ネットワーキングである。仮想ネットワーキングはまた、端末デバイスをテストするために使用されてもよい。
【００１６】
図２を参照すると、項目２０１において、第１の周波数レイヤの第１のネットワークノードは、第２の周波数レイヤにおいて第２のネットワークノードによって提供されるサービスに関する情報を取得し、前記第２のネットワークノードは、第１のネットワークノードのカバレッジエリア内にある。項目２０２において、第１のネットワークノードは、第２の周波数レイヤにおいて前記第２のネットワークノードによって提供されるサービスをアドバタイズするために、サービスアドバタイズメントを少なくとも１つの端末デバイスにブロードキャストする。項目２０３において、端末デバイスは、第１のネットワークノードからサービスアドバタイズメントを受信する。サービスアドバタイズメントに基づいて、項目２０４において、端末デバイスは、第２の周波数レイヤにおいて前記第２のネットワークノードによって提供されるサービスの少なくとも１つに接続する要求を、前記第２のネットワークノードに送信することができる。
【００１７】
これ以降、図３および図４を参照して、ブロック２０１の一部の実施形態を説明させていただく。図３および図４は、マクロセルカバレッジエリアでどのサービスが使用可能であるかを決定するための実施形態を示す。
【００１８】
図３を参照すると、項目３０１において、マクロセルネットワークノードＭｅＮＢは、クエリメッセージを、第１のスモールセルＳＣ１のスモールセルネットワークノードＳｅＮＢ１に送信することができる。項目３０２において、ＭｅＮＢは、ＳｅＮＢ１からメッセージを受信することができ、メッセージはＳＣ１において使用可能なサービスに関する情報を備える。項目３０３において、ＭｅＮＢは、第２のスモールセルＳＣ２のスモールセルネットワークノードＳｅＮＢ２からメッセージを受信することができ、メッセージはＳＣ２において使用可能な変更済みサービスに関する情報を備える。
【００１９】
図４を参照すると、項目４０１において、モビリティ管理エンティティＭＭＥ／ｃＭＧＷは、クエリメッセージをＳｅＮＢ１に送信することができる。項目４０２において、ＭＭＥ／ｃＭＧＷは、ＳｅＮＢ１からメッセージを受信することができ、メッセージはＳＣ１において使用可能なサービスに関する情報を備える。項目４０３において、ＭＭＥ／ｃＭＧＷは、スモールセルネットワークノードＳｅＮＢ２からメッセージを受信することができ、メッセージはＳＣ２において使用可能な変更済みサービスに関する情報を備える。項目４０４において、ＭｅＮＢは、クエリメッセージをＭＭＥ／ｃＭＧＷに送信することができる。項目４０５において、ＭｅＮＢは、ＭＭＥ／ｃＭＧＷからメッセージを受信することができ、メッセージはＳＣ１およびＳＣ２において使用可能なサービスに関する情報を備える。
【００２０】
マクロセルおよびスモールセルの場合、マクロセルは、マクロセルのカバレッジエリア内にあるスモール５Ｇセルによって提供されるサービスを、アイドル状態のＵＥにアドバタイズする（スモールセルは、それらのサービスをアドバタイズすることも、しないこともある）。マクロセルは、システム情報ブロードキャスト（ＳＩＢ）で（レイヤ情報を介して）スモールセルサービスをアドバタイズする。関連するＳＩＢ要素は、サービスＩＤ（ＳＩＤ）を、マクロセルのカバレッジエリア内のスモールセルに属する１つまたは複数の周波数レイヤにリンクする。関連するＳＩＢ要素はまた、他の場合であれば周波数レイヤに対して存在するしきい値をオーバーライドまたは置き換えるＳＩＤ固有のしきい値を確立することができる。複数のＳＩＤが、１つの周波数レイヤにリンクされてもよい。したがって、セル再選択しきい値は、サービスに固有であり、複数のしきい値は、１つの周波数について定義されてもよい。これにより、サービスに固有のセル再選択が可能になり、リダイレクトが回避される。さらに、ＵＥをアイドルモードに解放するとき、ネットワークは、周波数レイヤならびにそれらのしきい値およびサービスをリンクすることによって、ＵＥの周波数優先度を構成することができる。
【００２１】
サービスレイヤの場合、第１の周波数レイヤは、第１のネットワークレイヤによって提供されないが、その他の周波数レイヤによって提供されるサービスをアドバタイズする。アドバタイズメントは、第１のネットワークレイヤの無線アクセス技術（ＲＡＴ）とは異なるＲＡＴを指示することができる。アドバタイズメントは、サービスに固有のしきい値を含むことができる。アドバタイズされるネットワークレイヤは、第１のネットワークレイヤのカバレッジエリア内にあり、第１のネットワークレイヤはマクロセルであり、アドバタイズされるネットワークレイヤはスモールセルである。
【００２２】
別のセルによって提供されるサービスのアドバタイズは、図５に示されるように実施されてもよい。たとえば、ＲＡＴ１はＬＴＥ（４Ｇ）であってもよく、ＲＡＴ２は５Ｇであってもよい。４ＧマクロセルｅＮＢは、４ＧマクロセルｅＮＢのカバレッジエリア内で、固有のサービスを提供する５Ｇセルを任意のＵＥが見出しうることをアドバタイズするブロードキャスト信号を送信する。アドバタイズメントは、任意のＵＥが５Ｇセルのカバレッジエリア内にあるかどうかを暗示することはない。しかし、アドバタイズメントは、所与のサービスを取得しようとするＵＥが、５Ｇセルのスキャンを開始できるようにする。マクロセルによってブロードキャストされるサービスアドバタイズメントは複数あってもよく、各サービスアドバタイズメントは、異なる周波数レイヤに固有であり、および／または各サービスアドバタイズメントは、各自のセル選択基準（測定トリガー構成）に固有である。ブロードキャストアドバタイズメントは、アイドル状態のＵＥに適合される。図５において、異なる周波数または異なるＲＡＴで、マクロセル内のスモールセルは、サービスを提供することができる。マクロセルは、関心のあるＵＥがスモールセルのスキャンを開始するように（パイロットを指示する矢印「ｙ」）、スモールセルサービスをアドバタイズする（システムブロードキャストを指示する矢印「ｘ」）。マクロセルのカバレッジエリア内のＵＥは、毎回マクロセルのブロードキャストを受信する。ＵＥは、スモールセルの存在を、たとえばパイロット測定によって、検出することができ、測定しきい値に到達したときに接続しようと求める。ＵＥが新しいセルを見出すために実施できる測定は、ネットワークによって構成される。測定は、ＵＥが、たとえばパイロット電力（つまり、既知の物理信号またはチャネルの受信信号電力）または信号対干渉比（ＳＩＲ）を測定することを含むことができる。
【００２３】
ネットワークは、測定構成の構成を実施し、さらに独自の方式で実際のセル選択を実行する。ＮＡＳレイヤは、どれがマクロセルのカバレッジエリア内のスモールセルの能力であるかを認識しており、ＮＡＳレイヤは、どれがサービスを取得するために果たされる必要のあるサービス要件であるかを認識している。サービス要件は、無線品質パラメータに変換される。たとえば、最小スループット（ＴＰ）レートが無線リンク品質で取得可能である場合、ＵＥは、スモールセルに接続しようと試みることができる。スモールセルの負荷が高すぎる場合、サービスはアドバタイズされないことがある。
【００２４】
これ以降、図６から図８を参照して、セル再選択の実施形態をさらに詳細に説明させていただく。図６は、ネットワークの観点からブロードキャストの設定を示し、図７は、ＵＥの観点から固有のサービスを保持するスモールセルレイヤに接続を試みる前のアクションを示し、図８は、マクロセルのシステム情報を読み取るときのＵＥのアクションを示し、ＵＥはまたマクロセルで使用可能なサービスに関して以前アプリケーションレイヤに通知している場合もある。
【００２５】
図６を参照すると、項目６０１において、ブロードキャストタイマーの満了またはＳＣサービスが変更されていることに応答して、ＭｅＮＢのような装置は、どのサービスがＭｅＮＢのカバレッジエリアでＳＣによって提供されるかをチェックする６０２。項目６０３において、ＭｅＮＢは、ブロードキャストすることによって提供されるＳＣサービスをアドバタイズする。
【００２６】
図７を参照すると、項目７０１において、ＵＥは、アプリケーションレイヤからサービス要求を受信する。項目７０２において、ＵＥは、サービスがマクロセルでアドバタイズされるかどうかをチェックする。アドバタイズされない場合、ＵＥは、マクロセルに接続し、マクロセルからのサービスにクエリを行う７０７。Ｙｅｓである場合、ＵＥは、当該のサービスがアドバタイズされるかどうかをチェックする７０３。Ｎｏである場合、ＵＥは、サービス要求を拒否する７０８。Ｙｅｓである場合、ＵＥは、指定されているしきい値基準があるかどうかをチェックする７０４。しきい値基準がない場合、ＵＥは、スモールセルに接続を試みる７０６。Ｙｅｓである場合、ＵＥは、しきい値基準が満たされるかどうかをチェックする７０５。満たされない場合、ＵＥは、サービス要求を拒否する７０９。Ｙｅｓである場合、ＵＥは、スモールセルに接続を試みる７０６。
【００２７】
図８を参照すると、項目８０１において、端末デバイスは、ブロードキャストサービスアドバタイズメントを受信して読み取る。項目８０２において、端末デバイスは、アドバタイズメントに基づいて、サービスのリストをアプリケーションレイヤに提供する。
【００２８】
スモールセルのサービスをアドバタイズするためのマクロセルサービスアドバタイズメントブロードキャストは、このマクロセル内のスモールセル（ＳＣ）で使用可能なサービスＩＤ（ＳＩＤ）１、２があることを指示するＳＩＢ要素｛ＳＣ：ＳＩＤ１、ＳＩＤ２｝に含まれてもよい。マクロセルは、ＵＥが（たとえば、初期セル検索に固有の同期化マスクを提供することによって）これらのサービスＩＤについてＳＣを多少迅速に解決する手助けとなる固有のパラメータを追加的にブロードキャストすることができる。アドバタイズメントはまた、周波数レイヤまたはＲＡＴタイプを指示することができる。たとえば、サービスＳＩＤ２は、キャリアＦ２およびＦ３上のｍｍＷａｖｅ（ＲＡＴ２）で使用可能であってもよく、サービスＳＩＤ１は、キャリアＦ１：｛ＳＩＤ１：Ｆ１、ＲＡＴ１；ＳＩＤ２：Ｆ２、Ｆ３、ＲＡＴ２｝上のｃｍＷａｖｅで使用可能であってもよい。もう１つの例において、サービスＳＩＤ１は、ＲＡＴ１およびＲＡＴ２：｛ＳＩＤ１：Ｆ１、ＲＡＴ１、Ｆ２、ＲＡＴ２｝について、キャリアＦ１およびＦ２でアドバタイズされてもよい。アドバタイズメントはまた、サービス：｛ＳＩＤ１：ｔｈ１；ＳＩＤ２：ｔｈ２｝にアクセスするために満たされるべきしきい値（たとえば、ｔｈ１、ｔｈ２）を指示することもできる。しきい値は、たとえば、ＵＥの再キャンプに至る周波数レイヤについてすでに定義されている。本明細書において、しきい値は、サービスに固有であり、マクロセルへのコンタクトを回避することに至る（しきい値は、セル再キャンプを意図されてはいないが、サービスが開始されるときに評価されるものとする）。
【００２９】
ＵＥは、ＵＥが関心のないサービスについて、レイヤ情報が変わった場合に、ブロードキャストチャネルの読み取りをスキップすることができる。サービスに接続するためのＵＥによる要求はまた、たとえば、モビリティ情報によって増強されてもよい。マクロセルは、ＵＥのサブスクライバプロファイルに基づいて、測定構成を提供することを考慮してもよい。
【００３０】
マクロセルは、２Ｇ、３Ｇ、ＬＴＥ、または５Ｇマクロセルであってもよい。スモールセルは、５Ｇスモールセルであってもよい。
【００３１】
スモールセルからまたは異なる周波数レイヤからのみ使用可能なサービスを取得しようとするアイドル状態のＵＥは、マクロセルにコンタクトをとる必要はない。これにより、マクロセルへのトラフィックのリダイレクトを回避できるようになる。さらに、他のサービスではなく、１つの固有のサービスにアクセスしようとするアイドル状態のＵＥは、固有の周波数をスキャンすることが求められるだけである。固有のサービスのみにアクセスしようとするＵＥは、サービスが使用可能である場合にサービスへの接続を試みる必要があるだけである。
【００３２】
その他のセルに存在するサービスがアドバタイズされ、リダイレクトまたはロードバランシングは直接の形式で実行されることはない。
【００３３】
例示的な実施形態は、アイドル状態のＵＥに適用する。
【００３４】
さまざまな周波数レイヤおよび周波数のサービスに固有の品質しきい値は、中継される。
【００３５】
セル（マクロセルのようなアンブレラセル）は、別のＲＡＴによって提供されることさえある（アンブレラセル内に含まれる）別のセルによって提供されるサービスをアドバタイズすることができ、セルは、別のセルによって提供されるサービスを、これらのセルをサービスを提供するレイヤとして抽象化することによって、アドバタイズする。
【００３６】
異なるセルのサービスは、アドバタイズメントがサービスに固有であり、ＲＡＴタイプを指示できるようにアドバタイズされてもよい。サービスアドバタイズメントは、サービスに固有のアクセスしきい値を含むことができ、複数のサービスが１つのレイヤに対してアドバタイズされてもよい。ＵＥは、サービスを提供していないマクロセルにキャンプすることができる。ＵＥは、ＵＥがサービスを必要とすると直ちにサービス提供レイヤにアクセスすることができる。
【００３７】
サービスに固有のアドバタイズメントおよび測定構成は、アイドル状態のＵＥにブロードキャストされ、アイドル状態のＵＥは、キャンプしていないセルに直接接続する（キャンプはアイドル状態のＵＥについてのみ定義される）。それまでＵＥがキャンプしたセルは、ＵＥシグナリングによる負荷を負うことはない。ＵＥに、ＭｅＮＢで使用可能ではないサービスを提供することが可能である。
【００３８】
サービスアドバタイズメントは、ＵＥが、サービスに固有のレイヤに接続できるようにする。サービスに固有のしきい値を使用することは、たとえ異なるしきい値によるものであっても、既存の無線パラメータを使用することを伴う。
【００３９】
例示的な実施形態は、５Ｇネットワークのスモールセルディスカバリ、スモールセルのブロードキャスト回避、ならびにＵＥおよびスモールセルのエネルギー節約を増強する。
【００４０】
サービス指示を伴う隣接セル情報は、サービス概念を、レイヤは周波数、ＲＡＴ、およびしきい値によって特徴付けられるだけではなく、サービスタイプ、サービス構成、プロトコル構成、およびサービスしきい値によっても特徴付けられる、というレイヤ概念に導入することによって、固有のサービスに専用のセルのブロードキャスト情報で提供される。
【００４１】
一度に２つのレイヤにキャンプしているＵＥは、サービスレイヤが各自のページングを使用する場合、実施されてもよい。
【００４２】
一部の周波数レイヤは、たとえば、Ｖ２Ｖのような、１つだけのサービスに専用であってもよい。サービスグループが定義されてもよく、それによりサービスについてセルにクエリを行うＵＥトラフィックと、ブロードキャスト情報の量との妥協が得られる。
【００４３】
アドバタイズメントは、｛任意のＳＩＤただしＳＩＤ１：Ｆ１、ＲＡＴ１を除く｝のような、例外リストを備えることができる。
【００４４】
サービスアドバタイズメントは、システム情報（ＳＩ）ブロードキャストの一部であってもよい。３Ｇにおいて、アイドル状態のＵＥのみがブロードキャストを読み取ることができる。ＬＴＥにおいて、アイドル状態および接続済みのＵＥがブロードキャストを読み取ることができる。５Ｇにおいて、ブロードキャストを読み取るためのＵＥの振る舞いは、引き続き定義されるべきである。将来ＵＥはまた、４Ｇおよび５Ｇのような、２つの異なるＲＡＴへの２つの並列接続を保持することも可能であってもよい。それらのＵＥは、両ＲＡＴでアイドル状態であると見なされてもよいか、または一方のＲＡＴでアイドル状態であり、もう一方のＲＡＴで接続済みであると見なされてもよい。いずれの場合にも、実施形態において、ＵＥは、１つの周波数レイヤのみのブロードキャストをリッスンすることができ、ネットワークはリダイレクトトラフィックに直面することはない。
【００４５】
本明細書において、サービスは、アプリケーションのカテゴリを示すことができる。サービスは、ＱｏＳ属性に関連付けられてもよい。サービスは、プロトコル変種またはプロトコルパラメータ化またはプロトコルプロファイル（複数のプロファイルがサービスに対して存在し得る）に関連付けられてもよい。サービスカテゴリは、ネットワークで事前定義されてもよく、次いでセルに固有のサービス提供通知においてインデックスとしてアドバタイズされてもよい。サービスは、低い待ち時間および高い信頼性要件を有するＶ２Ｖサービス、低い端末密度および低い電力要件を有するＭ２Ｍまたはセンサーネットワークサービス、専用ビデオオンデマンドサービスまたはアップリンクのリアルタイムビデオ中継サービス、ローカライズされた低待ち時間の高スループットデータアプリケーションのためのイーサネット（登録商標）サービス、ならびに高データレートの基本標準サービスまたはＶｏＩＰ、ＣＳ  ＶｏｉｃｅなどのＧＢＲサービスのような、５Ｇネットワークによってサポートされるサービスを含むことができる。
【００４６】
本明細書において、サービスアドバタイズメントは、サービスの可用性に関する通知メッセージを示す。サービスアドバタイズメントはまた、サービス構成（ＱｏＳ、プロトコル変種、サブスクリプションコスト）を含むこともできる。アイドル状態のＵＥに対する（ＳＩＢブロードキャストを超える）サービスアドバタイズメントのシグナリングはまた、ＵＥが日常的に読み取る専用のブロードキャストチャネルの形態をとることもある。これは、非ＳＦＮサービスがアドバタイズされること、および異なるレイヤのサービスがアドバタイズされることを除いて、ＭＢＭＳアドバタイズメントチャネルと類似することがある（ただし、同一ではない）。専用ブロードキャストチャネルの内容は、ＳＩＢの内容であってもよい。
【００４７】
実施形態は、少なくとも１つのプロセッサと、コンピュータプログラムコードを含む少なくとも１つのメモリとを備える装置を提供し、少なくとも１つのメモリおよびコンピュータプログラムコードは、少なくとも１つのプロセッサと共に、上記で説明されるネットワーク要素またはネットワークノードの手順を装置に実施させるように構成される。したがって、少なくとも１つのプロセッサ、少なくとも１つのメモリ、およびコンピュータプログラムコードは、ネットワーク要素またはネットワークノードの上記で説明される手順を実行するための手段の実施形態と見なされてもよい。図９は、そのような装置の構造のブロック図を示す。装置は、ネットワーク要素またはネットワークノードに含まれてもよく、たとえば装置はネットワーク要素またはネットワークノード内のチップセットまたは回路を形成してもよい。一部の実施形態において、装置は、ネットワーク要素またはネットワークノードである。装置は、第１の周波数レイヤにおいて動作するように構成され、少なくとも１つのプロセッサを備える処理回路１０を備える。処理回路１０は、別の周波数レイヤネットワークノードによって提供されるサービスに関する情報を取得するように構成されたサービス検出器１２を備えることができる。前記別の周波数レイヤネットワークノードは、装置のカバレッジエリア内にある。サービス検出器１０は、上記で説明されるように、サービスに関連する情報を取得して、情報をメッセージ生成器１４に出力するように構成されてもよい。メッセージ生成器１４は、前記別の周波数レイヤネットワークノードによって提供されるサービスをアドバタイズするために、サービスアドバタイズメントを少なくとも１つの端末デバイスにブロードキャストするように構成される。
【００４８】
処理回路１０は、回路１２および１４をサブ回路として備えることができるか、またはこれらは同じ物理処理回路によって実行されるコンピュータプログラムモジュールと見なされてもよい。メモリ２０は、回路１２および１４の動作を指定するプログラム命令を備える１つまたは複数のコンピュータプログラム製品２４を格納することができる。メモリ２０は、たとえば、中央ＱｏＥオーケストレーションのための定義を備えるデータベース２６をさらに格納することができる。装置は、端末デバイスとの無線通信機能を装置に提供する通信インターフェイス２２をさらに備えることができる。通信インターフェイス２２は、無線通信を可能にする無線通信回路を備えることができ、無線周波数信号処理回路およびベースバンド信号処理回路を備えることができる。ベースバンド信号処理回路は、送信機および／または受信器の機能を実施するように構成されてもよい。一部の実施形態において、通信インターフェイスは、少なくともアンテナと、実施形態によっては基地局に関してリモート位置の無線周波数信号処理、とを備えるリモート無線ヘッドに接続されてもよい。そのような実施形態において、通信インターフェイスは、無線周波数信号処理の一部のみを実施することができるか、または無線周波数信号処理を全く実施しないこともある。通信インターフェイスとリモート無線ヘッドとの間の接続は、アナログ接続またはデジタル接続であってもよい。一部の実施形態において、通信インターフェイスは、有線通信を可能にする固定の通信回路を備えることができる。
【００４９】
実施形態は、少なくとも１つのプロセッサと、コンピュータプログラムコードを含む少なくとも１つのメモリとを備えるもう１つの装置を提供し、少なくとも１つのメモリおよびコンピュータプログラムコードは、少なくとも１つのプロセッサと共に、上記で説明される端末デバイスの手順を装置に実施させるように構成される。したがって、少なくとも１つのプロセッサ、少なくとも１つのメモリ、およびコンピュータプログラムコードは、端末デバイスの上記で説明される手順を実行するための手段の実施形態と見なされてもよい。図１０は、そのような装置の構造のブロック図を示す。装置は、端末デバイスに含まれてもよく、たとえば装置は端末デバイス内のチップセットまたは回路を形成してもよい。一部の実施形態において、装置は端末デバイスである。装置は、少なくとも１つのプロセッサを備える処理回路５０を備える。処理回路５０は、（マクロセル基地局のような）第１の周波数レイヤネットワークノードから受信され、別の周波数レイヤネットワークノードによって提供されるサービスに関するアドバタイジング情報を含むサービスアドバタイズメントメッセージを抽出するように構成された通信コントローラ５４を備えることができる。装置は、前記別の周波数レイヤネットワークノードによって提供される少なくとも１つのサービスに接続するよう求める要求を、前記別の周波数レイヤネットワークノードに送信するように構成された接続要求生成器５２をさらに備えることができる。
【００５０】
処理回路５０は、回路５２、５４をサブ回路として備えることができるか、またはこれらは同じ物理処理回路によって実行されるコンピュータプログラムモジュールと見なされてもよい。メモリ６０は、回路５２、５４の動作を指定するプログラム命令を備える１つまたは複数のコンピュータプログラム製品６４を格納することができる。装置は、１つまたは複数のセルラー通信ネットワークの基地局との無線通信機能を装置に提供する通信インターフェイス６２をさらに備えることができる。通信インターフェイス６２は、無線通信を可能にする無線通信回路を備えることができ、無線周波数信号処理回路およびベースバンド信号処理回路を備えることができる。ベースバンド信号処理回路は、送信機および／または受信器の機能を実施するように構成されてもよい。一部の実施形態において、通信インターフェイス６２は、有線通信を可能にする固定の通信回路を備えることができる。
【００５１】
本出願において使用される、「回路」という用語は、以下のすべての事項を示す。（ａ）アナログおよび／またはデジタル回路のみの実施のような、ハードウェア専用の回路の実施、（ｂ）次のような（該当する場合）回路およびソフトウェアおよび／またはファームウェアの組み合わせ、（ｉ）プロセッサまたはプロセッサコアの組み合わせ、または（ｉｉ）装置に固有の機能を実行させるよう協働するデジタル信号プロセッサ、ソフトウェア、および少なくとも１つのメモリを含むプロセッサ／ソフトウェアの部分、ならびに（ｃ）ソフトウェアまたはファームウェアが物理的に存在しない場合であっても、動作のためにソフトウェアまたはファームウェアを必要とする、マイクロプロセッサまたはマイクロプロセッサの一部のような、回路。
【００５２】
「回路」のこの定義は、本出願においてこの用語のすべての使用に適用する。さらなる例として、本出願において使用される、「回路」という用語はまた、たとえばマルチコアプロセッサの１つのコア、およびその（またはそれらの）付随するソフトウェアおよび／またはファームウェアなど、単にプロセッサ（または複数のプロセッサ）またはプロセッサの部分の実施をカバーする。「回路」という用語はまた、たとえばおよび特定の要素に該当する場合、本発明の実施形態による装置のベースバンド集積回路、特定用途向け集積回路（ＡＳＩＣ）、および／またはフィールドプログラマブルグリッドアレイ（ＦＰＧＡ）回路をカバーする。
【００５３】
図１から図１０に関連して上記で説明されるプロセスまたは方法は、１つまたは複数のコンピュータプログラムによって定義される１つまたは複数のコンピュータプロセスの形態で実施されてもよい。コンピュータプログラムは、たとえば、上記で説明されるプロセスがより大きいアルゴリズムまたはコンピュータプロセスのプログラムモジュールとして実施されてもよいように、コンピュータプログラムのモジュールも包含すると見なされるものとする。コンピュータプログラムは、ソースコードの形態、オブジェクトコードの形態、または何らかの中間の形態であってもよく、プログラムを搬送することができる任意のエンティティまたはデバイスであってもよいキャリアに格納されてもよい。そのようなキャリアは、たとえば記録媒体、コンピュータメモリ、読み取り専用メモリ、電気キャリア信号、電気通信信号、およびソフトウェア配布パッケージのような、一時的および／または非一時的コンピュータ媒体を含む。必要とされる処理能力に応じて、コンピュータプログラムは、単一の電子デジタル処理ユニットにおいて実行されてもよいか、または多数の処理ユニット間で分散されてもよい。
【００５４】
本発明は、上記で定義されるセルラーまたはモバイル通信システムに適用可能であるが、その他の適切な通信システムにも適用可能である。使用されるプロトコル、セルラー通信システムの仕様、それらのネットワーク要素、および端末デバイスは、飛躍的に進化する。そのような進化は、説明される実施形態に特別な変更を必要とすることもある。したがって、すべての用語および表現は、広範に解釈されるべきであり、これらの表現は、実施形態を限定するのではなく、説明することが意図されている。
【００５５】
技術が進歩するにつれ、本発明の概念はさまざまな方法で実施され得ることが、当業者には明らかとなろう。本発明およびこの実施形態は、上記で説明される例に限定されることはなく、特許請求の範囲内において変化することがある。
【００５６】
省略語のリスト
ＡＰ  アクセスポイント
ＣＢＳ  セルブロードキャストサービス
ＩＤ  識別子
ＬＴＥ  ＤＣ  ＬＴＥデュアルコネクティビティ
Ｍ２Ｍ  マシンツーマシン
ＭＢＭＳ  マルチメディアブロードキャストマルチキャストサービス
ＭｅＮＢ  マスターｅＮＢ
ＭＭＥ  モビリティ管理エンティティ
ｃＭＧＷ  制御ＭＭＥゲートウェイ
ＮＡＳ  非アクセス層
ＲＡＣＨ  ランダムアクセスチャネル
ＲＡＮ  無線アクセスネットワーク
ＲＡＴ  無線アクセス技術
ＲＲＣ  無線リソース制御
ＳＡＩ  サービスエリア識別子
ＳＣ  スモールセル
ＳｅＮＢ  スレーブｅＮＢ
ＳＦＮ  単一周波数ネットワーク
ＳＩ  システム情報
ＳＩＢ  システム情報ブロック
ＳＩＤ  サービスＩＤ
ＴＰ  スループット
ＴＶ  テレビジョン
ＵＥ  ユーザ機器
ＵＳＤ  ユーザサービス記述
Ｖ２Ｖ  車車間
ＶｏＩＰ  Ｖｏｉｃｅ  ｏｖｅｒ  ＩＰ
ＣＳ  回路交換
ＧＢＲ  保証ビットレート
５Ｇ  第５世代
ＭＣＣＨ  主制御チャネル
ＭＣＨ  マルチキャストチャネル
ＭＢＳＦＮ  マルチメディアブロードキャスト単一周波数ネットワーク
【図１】
0006567674.tif 000002
【図２】
0006567674.tif 000003
【図３】
0006567674.tif 000004
【図４】
0006567674.tif 000005
【図５】
0006567674.tif 000006
【図６】
0006567674.tif 000007
【図７】
0006567674.tif 000008
【図８】
0006567674.tif 000009
【図９】
0006567674.tif 000010
【図１０】
0006567674.tif 000011